(57)【要約】【課題】伸縮性及び可撓性を維持しつつ、座屈することを防止する。【解決手段】ベローズ管１１，１２と、ベローズ管１１，１２の間に取り付けられる接続管１３と、ベローズが形成されると共に、ベローズ管１１，１２と離間した外側に、最も一端部側のベローズ管１１の一端部側を固定端として、ベローズ管１１の他端部側に延在される第１のカバー１８と、ベローズが形成されると共に、ベローズ管１１，１２と離間した外側に、最も他端部側のベローズ管１２の他端部側を固定端として、ベローズ管１２の一端部側に延在される第２のカバー１９とを備え、第１のカバー１８は、他端部側の先端部に第１の直管部１８ａが形成され、第２のカバー１９は、一端部側の先端部に第２の直管部１９ａが形成され、第１の直管部１８ａと第２の直管部１９ａとは、移動可能に重ね合わされている。【選択図】図２
2015172407.tif 000002
【特許請求の範囲】
【請求項１】
内部を流体が流れるベローズ管と、
上記ベローズ管との間に取り付けられる接続管と、
ベローズが形成されると共に、上記ベローズ管と離間した外側に、上記最も一端部側のベローズ管の一端部側を固定端として、該ベローズ管の他端部側に延在される第１のカバーと、
ベローズが形成されると共に、上記ベローズ管と離間した外側に、上記最も他端部側のベローズ管の他端部側を固定端として、該ベローズ管の一端部側に延在される第２のカバーとを備え、
上記第１のカバーは、他端部側の先端部に第１の直管部が形成され、
上記第２のカバーは、一端部側の先端部に第２の直管部が形成され、
上記第１の直管部と上記第２の直管部とは、移動可能に重ね合わされていることを特徴とする伸縮管装置。
【請求項２】
上記接続管は、各端部に接続管鍔を有し、
上記接続管鍔には、上記第１のカバー及び／又は上記第２のカバーをガイドするガイド部材が設けられていることを特徴とする請求項１に記載の伸縮管装置。
【請求項３】
上記ガイド部材は、上記接続管鍔の外周面上又は該ガイド部材の外周面が上記接続管鍔の外周面と面一となるように設けられていることを特徴とする請求項２に記載の伸縮管装置。
【請求項４】
上記第１のカバーの第１の直管部の先端部及び／又は上記第２のカバーの第２の直管部の先端部は、上記ガイド部材の外周面上に配置されていることを特徴とする請求項２又は３に記載の伸縮管装置。
【請求項５】
上記最も一端部側のベローズ管の一端部に取り付けられる第１の端管と、
上記最も他端部側のベローズ管の他端部に取り付けられる第２の端管とを更に備え、
上記第１のカバーは、一端部が上記第１の端管に固定された第１の端管鍔の外周部に固定され、
上記第２のカバーは、他端部が上記第２の端管に固定された第２の端管鍔の外周部に固定されていることを特徴とする請求項１乃至４の何れかに記載の伸縮管装置。
【発明の詳細な説明】
【技術分野】
【０００１】
本発明は、導管の温度変化による伸縮や、地盤沈下、地震等による変位の吸収が可能な伸縮管装置に関する。
【背景技術】
【０００２】
水道管等の流体を流す導管の管路においては、温度変化による伸縮や、地盤沈下、地震等による変位を吸収するための管継ぎ手として、特許文献１のような伸縮管装置が用いられている。この特許文献１の伸縮管装置は、伸縮性のあるベローズ管を主たる構成要素とし、ベローズ管が軸線方向に伸縮すること及び／又は軸線方向に対して直角な方向に湾曲することによって、管路の温度変化に伴う伸縮や、地盤沈下、地震等による変位を吸収するようにしている。
【０００３】
また、特許文献１の伸縮管装置は、ベローズ管と離間した外側に第１及び第２のカバーが設けられているので、ベローズ管を外部からの衝撃等から保護することができる。更に、特許文献１の伸縮管装置は、第１及び第２のカバーがベローズ管で構成されているので、内部のベローズ管が湾曲して角度変位や軸線方向に対して直角な方向に変位する際にはこれに追従して湾曲して変位することができる。
【０００４】
しかしながら、特許文献１の伸縮管装置は、軸線方向の圧縮力が過度に作用した場合、ベローズの長さ／口径比が大きい場合、更に、ベローズ管の山数が多い場合等に、ベローズ管が軸線方向に対して直角な方向に座屈してしまい、管内の流通断面積が著しく減少して必要な流量を確保できなくなるという問題がある。その一方で、特許文献１の伸縮管装置は、座屈の危険性を低くするために要求性能を満たす範囲内で、単純にベローズの山数を少なくすると、従来よりも、ベローズのピッチが大きくなり、板厚も厚くなり、湾曲させ難くなるという問題がある。
【先行技術文献】
【特許文献】
【０００５】
【特許文献１】特許第４９０３４９７号公報
【発明の概要】
【発明が解決しようとする課題】
【０００６】
本発明は、以上のような問題点に鑑みてなされたものであり、軸線方向の直進的な変位のみならず、角度変位や軸線方向に対して直角な方向の変位も吸収することができることに加え、伸縮性及び可撓性を維持しつつ、座屈することを防止することができる伸縮管装置を提供することを目的とする。
【課題を解決するための手段】
【０００７】
本発明に係る伸縮管装置は、内部を流体が流れるベローズ管と、上記ベローズ管との間に取り付けられる接続管と、ベローズが形成されると共に、上記ベローズ管と離間した外側に、上記最も一端部側のベローズ管の一端部側を固定端として、該ベローズ管の他端部側に延在される第１のカバーと、ベローズが形成されると共に、上記ベローズ管と離間した外側に、上記最も他端部側のベローズ管の他端部側を固定端として、該ベローズ管の一端部側に延在される第２のカバーとを備え、上記第１のカバーは、他端部側の先端部に第１の直管部が形成され、上記第２のカバーは、一端部側の先端部に第２の直管部が形成され、上記第１の直管部と上記第２の直管部とは、移動可能に重ね合わされている。
【０００８】
更に、上記接続管は、各端部に接続管鍔を有し、上記接続管鍔には、上記第１のカバー及び／又は上記第２のカバーをガイドするガイド部材が設けられているようにしても良い。
【０００９】
更に、上記ガイド部材は、上記接続管鍔の外周面上又は該ガイド部材の外周面が上記接続管鍔の外周面と面一となるように設けられているようにしても良い。
【００１０】
更に、上記第１のカバーの第１の直管部の先端部及び／又は上記第２のカバーの第２の直管部の先端部は、上記ガイド部材の外周面上に配置されているようにしても良い。
【００１１】
更に、上記最も一端部側のベローズ管の一端部に取り付けられる第１の端管と、上記最も他端部側のベローズ管の他端部に取り付けられる第２の端管とを更に備え、上記第１のカバーは、一端部が上記第１の端管に固定された第１の端管鍔の外周部に固定され、上記第２のカバーは、他端部が上記第２の端管に固定された第２の端管鍔の外周部に固定されているようにしても良い。
【発明の効果】
【００１２】
本発明によれば、温度変化等に伴う管路の伸縮を、ベローズ管が軸線方向に直進的に変位することで吸収することができる。更に、本発明によれば、地震動等に伴う角度変位や軸線方向に対して直角な方向の変位を、ベローズ管が、第１のカバー及び／又は第２のカバーと共に、軸線方向に対して直角な方向に湾曲して変位することで吸収することができる。
【００１３】
また、本発明によれば、ベローズ管の間に接続管が取り付けられているので、ベローズ管のベローズの山数を、ベローズ管が全山の場合よりも少なくすることができる。したがって、本発明によれば、ベローズ管が全山の場合と同様の伸縮性及び可撓性を維持しつつ、ベローズ管が全山の場合よりも、ベローズ管が軸線方向に対して直角な方向に座屈してしまうことを防止することができる。
【図面の簡単な説明】
【００１４】
【図１】本発明を適用した伸縮管装置の使用状態を示した側面図である。
【図２】本発明を適用した伸縮管装置を示した側面断面図である。
【図３】（Ａ）は、本発明を適用した伸縮管装置を示した側面図であり、（Ｂ）は、正面図である。
【図４】（Ａ）は、リング状に形成されると共に接続管鍔の外周面上に設けられたガイド部材を示した正面断面図であり、（Ｂ）は、側面断面図である。
【図５】（Ａ）は、板状に形成されて、放射線状に配置され、面一に設けられて、一対の接続管鍔と接続管との三部材に固定されたガイド部材を示した正面断面図であり、（Ｂ）は、側面断面図である。
【図６】板状に形成されて、放射線状に配置され、面一に設けられて、一対の接続管鍔間に固定されたガイド部材を示した正面断面図である。
【図７】板状に形成されて、放射線状に配置され、非面一に設けられて、一対の接続管鍔と接続管との三部材に固定されたガイド部材を示した正面断面図である。
【図８】板状に形成されて、放射線状に配置され、非面一に設けられて、一対の接続管鍔間に固定されたガイド部材を示した正面断面図である。
【図９】（Ａ）は、板状に形成されて、同心円状に配置され、接続管鍔の外周面上に設けられたガイド部材を示した正面断面図であり、（Ｂ）は、側面断面図である。
【図１０】（Ａ）は、板状に形成されて、同心円状に配置され、面一に設けられて、一対の接続管鍔間に固定されたガイド部材を示した正面断面図であり、（Ｂ）は、側面断面図である。
【発明を実施するための最良の形態】
【００１５】
以下、本発明を適用した伸縮管装置について、図面を参照しながら詳細に説明する。なお、本発明は、以下の例に限定されるものではなく、本発明の要旨を逸脱しない範囲で任意に変更可能である。
【００１６】
本発明を適用した伸縮管装置１０は、図１に示すように、管路の温度変化に伴う伸縮、地盤沈下に伴う変位、地震動に伴う変位の吸収を目的に、例えば、水道橋、橋梁、高架水槽等の構造体１に使用される露出型の水道管２の継ぎ手として用いられるものである。この伸縮管装置１０を含む水道管２の管路は、伸縮管装置１０の両側において、構造体１に支持部材３によって略直線的に支持され、伸縮管装置１０は、通常時において、温度変化に伴う管路の伸縮を吸収するように、支持部材３によって、軸線方向の伸縮を許容した状態で支持されている。
【００１７】
なお、水道管２としては、鋼管、鋳鉄管、塩化ビニール製の合成樹脂管等が用いられているが、本発明を適用した伸縮管装置１０は、何れの種類の水道管にも接続可能である。
【００１８】
以上のように用いられる本発明を適用した伸縮管装置１０は、図２及び図３に示すように、可撓性や伸縮性、更には密閉性を有する第１及び第２のベローズ管１１，１２と、第１のベローズ管１１と第２のベローズ管１２との間に取り付けられる接続管１３と、第１のベローズ管１１の一端部に一体に接合される第１の端管１４と、第２のベローズ管１２の他端部に一体に接合される第２の端管１５とを備えている。
【００１９】
第１のベローズ管１１は、図２に示すように、機械的特性と防錆性等に優れたステンレス材等の金属材料を素材とし、断面略波形のベローズ本体１１ａの一端部に第１の端管１４と接続するための接続部１１ｂ１が一体的に設けられ、ベローズ本体１１ａの他端部に接続管１３と接続するための接続部１１ｂ２が一体的に設けられてなる。この第１のベローズ管１１は、管の太さ、用途等を考慮して板厚、ベローズの数、高さ等を決定して所定の可撓性や伸縮性を有するように形成されている。また、ベローズ本体１１ａは、内部を流れる水道水の内圧による力に耐えられるだけの強度を有している。ベローズ本体１１ａのベローズを構成する各凸部１１ｃは、例えば、略垂直に立ち上がり先端が略円弧をなす断面逆Ｕ字状に形成されている。各凸部１１ｃは、断面逆Ｕ字状に形成されることによって、断面略Ω状に形成された場合より潰れにくくなり、強度が高められている。なお、板厚等で必要な強度が得られるようにすれば、各凸部１１ｃは、断面略Ω状やその他の形状であっても良い。
【００２０】
また、ベローズ本体１１ａのベローズを構成する各凸部１１ｃによって形成された凹溝の底部は、筒状の接続部１１ｂ１，１１ｂ２の内径より小さくならないように形成されている。これにより、第１のベローズ管１１の流路が接続部１１ｂ１，１１ｂ２よりも細くなることがなくなり、ベローズ本体１１ａの部分で水道水の流れが妨げられることを防止することができる。
【００２１】
以上のように構成された第１のベローズ管１１は、例えば、その長さの略３倍の長さのステンレス鋼板で形成された素管を管軸方向に圧縮してベローズを形成し、次いで、ベローズ形成後の残留応力による応力割れを防止するため固溶化熱処理を行い、次いで、熱処理後の残滓を除去するため表面の酸洗浄が行われることによって製造される。第１のベローズ管１１は、この熱処理によって、弾性体から塑性体に転移するため、弾性体のような復元力は発生せず、曲げた際には曲げたままの形態が維持されるようになる。なお、第１のベローズ管１１の製造方法は、以上の例に限定されるものではなく、例えば熱処理や酸処理を省略しても良い。
【００２２】
なお、第１のベローズ管１１については、ステンレス材に限定されるものではなく、例えば、銅、チタン、アルミニウム合金等のその他の適宜の金属、又は合成樹脂によって形成されたものを用いても良い。また、第１のベローズ管１１は、ベローズの凹凸の構造によって内部で固形物が滞留して詰まり現象が発生することを防止するため、内部に可撓性を有する導管を導通させて構成しても良い。
【００２３】
第２のベローズ管１２は、図２に示すように、第１のベローズ管１１と同様の構成を有し、ステンレス材等の金属材料を素材とし、断面略波形のベローズ本体１２ａの他端部に第２の端管１５と接続するための接続部１２ｂ１が一体的に設けられ、ベローズ本体１２ａの一端部に接続管１３と接続するための接続部１２ｂ２が一体的に設けられてなる。更に、第２のベローズ管１２は、第１のベローズ管１１と同様の構成を有することに加え、管の太さ、長さ、板厚、ベローズの数、高さ等も第１のベローズ管１１と同様に設けられ、第１のベローズ管１１と同様の可撓性や伸縮性を有するように形成されている。なお、第２のベローズ管１２は、上述したように第１のベローズ管１１と同様の構成を有するので、ここでは詳細な説明は省略する。
【００２４】
接続管１３は、ステンレス材等の金属材料を素材とし、図２に示すように、第１のベローズ管１１の他端部の接続部１１ｂ２に接続されると共に、第２のベローズ管１２の一端部の接続部１２ｂ２に接続されるものであり、それぞれの接続部１１ｂ２，１２ｂ２の外径とほぼ等しい内径を有している。更に、接続管１３は、一端部１３ａが第１のベローズ管１１の接続部１１ｂ２の外周部に嵌合され、この接続部１１ｂ２の先端部と接続管１３の内周面とが溶接されることにより、第１のベローズ管１１と一体化されている（なお、溶接箇所を図２中３０ａで示す。）。なお、第１のベローズ管１１は、接続管１３と一体化された鍔２０とベローズの最外凸部１１ｄで溶接しても良い。更に、接続管１３は、他端部１３ｂが第２のベローズ管１２の接続部１２ｂ２の外周部に嵌合され、この接続部１２ｂ２の先端部と接続管１３の内周面とが溶接されることにより、第２のベローズ管１２と一体化されている（なお、溶接箇所を図２中３０ｂで示す。）。なお、第２のベローズ管１２は、接続管１３と一体化された鍔２１とベローズの最外凸部１２ｄで溶接しても良い。
【００２５】
第１の端管１４は、ステンレス材等の金属材料を素材とし、図２に示すように、第１のベローズ管１１の一端部の接続部１１ｂ１に接続されるものであり、接続部１１ｂ１の外径とほぼ等しい内径を有している。更に、第１の端管１４は、他端部１４ｂが第１のベローズ管１１の接続部１１ｂ１の外周部に嵌合され、接続部１１ｂ１の先端部と第１の端管１４の内周面とが溶接されることにより、第１のベローズ管１１と一体化されている（なお、溶接箇所を図２中３０ｃで示す。）。更に、この第１の端管１４の一端部１４ａは、水道管２の端部に接合される。なお、第１のベローズ管１１は、第１の端管１４と一体化された鍔１６とベローズの最外凸部１１ｄで溶接しても良い。
【００２６】
また、第１の端管１４の一端部１４ａと水道管２の端部とは、例えば第１の端管１４の一端部１４ａに設けたフランジと水道管２の端部に設けたフランジとを軸線を一致させて突き合わせ結合し、突き合わされたフランジをボルトとナットで締め付けることによって接続される。勿論、第１の端管１４と水道管２との接続するための機構は、これに限定されるものではなく、その他周知の機構を用いることもできる。
【００２７】
第２の端管１５は、ステンレス材等の金属材料を素材とし、図２に示すように、第２のベローズ管１２の他端部の接続部１２ｂ１に接続されるものであり、接続部１２ｂ１の外径とほぼ等しい内径を有している。更に、第２の端管１５は、一端部１５ａが第２のベローズ管１２の接続部１２ｂ１の外周部に嵌合され、接続部１２ｂ１の先端部と第２の端管１５の内周面とが溶接されることにより、第２のベローズ管１２と一体化されている（なお、溶接箇所を図２中３０ｄで示す。）。更に、この第２の端管１５の他端部１５ｂは、水道管２の端部に接合される。なお、第２のベローズ管１２は、第２の端管１５と一体化された鍔１７とベローズの最外凸部１２ｄで溶接しても良い。
【００２８】
また、第２の端管１５の他端部１５ｂと水道管２の端部とは、例えば第２の端管１５の他端部１５ｂに設けたフランジと水道管２の端部に設けたフランジとを軸線を一致させて突き合わせ結合し、突き合わされたフランジをボルトとナットで締め付けることによって接続される。勿論、第２の端管１５と水道管２との接続するための機構は、これに限定されるものではなく、その他周知の機構を用いることもできる。
【００２９】
更に、第１の端管１４の他端部１４ｂには、図２に示すように、外周部に、ステンレス材等の金属材料を素材としたリング状の第１の端管鍔１６が嵌合されている。更に、第１の端管１４の他端部１４ｂは、第１の端管鍔１６の内周部と溶接により一体化されている（溶接箇所を、図２中３０ｅで示す。）。なお、この溶接箇所３０ｅを用いて第１のベローズ管１１の最外凸部１１ｄと溶接しても良い。更に、第１の端管鍔１６は、第１のベローズ管１１のベローズ本体１１ａの最外凸部１１ｄの端部を保護するために最外凸部１１ｄよりも高く設けられている。そして、第１の端管鍔１６は、第１の端管１４に接続部１１ｂ１が嵌合されたとき、ベローズ本体１１ａの最外凸部１１ｄに外側から突き当てられることによって、ベローズ本体１１ａの端部を保護する。
【００３０】
更に、第２の端管１５の一端部１５ａには、図２に示すように、外周部に、ステンレス材等の金属材料を素材としたリング状の第２の端管鍔１７が嵌合されている。更に、第２の端管１５の一端部１５ａは、第２の端管鍔１７の内周部と溶接により一体化されている（溶接箇所を、図２中３０ｆで示す。）。なお、この溶接箇所３０ｆを用いて第２のベローズ管１２の最外凸部１２ｄと溶接しても良い。更に、第２の端管鍔１７は、第２のベローズ管１２のベローズ本体１２ａの最外凸部１２ｄの端部を保護するために最外凸部１２ｄよりも高く設けられている。そして、第２の端管鍔１７は、第２の端管１５に接続部１２ｂ１が嵌合されたとき、ベローズ本体１２ａの最外凸部１２ｄに外側から突き当てられることによって、ベローズ本体１２ａの端部を保護する。
【００３１】
更に、第１の端管鍔１６の外周部には、図２に示すように、第１のカバー１８が取り付けられ、第２の端管鍔１７の外周部には、第２のカバー１９が取り付けられている。第１及び第２のカバー１８，１９は、ステンレス材等の金属材料を素材とし、断面略波形のベローズ管となっている。そして、第１及び第２のカバー１８，１９は、要求される性能、（例えば強度や撓みやすさ）によりベローズの凸部の形状や凸部の数が決定される。また、第１及び第２のカバー１８，１９は、第１及び第２のベローズ管１１，１２よりもやや大径となるように設けられている。更に、第１及び第２のカバー１８，１９は、第１のベローズ管１１のベローズ本体１１ａの長さと第２のベローズ管１２のベローズ本体１２ａの長さと接続管１３の長さとを合わせた合計長さ、或いは、第１の端管鍔１６と第２の端管鍔１７との間の長さの半分よりもやや長くなるように形成されている。そして、第１及び第２のカバー１８，１９は、基端部が端管鍔１６，１７の外周部に溶接により一体化されている（溶接箇所を、図２中３０ｇ，３０ｈで示す。）。
【００３２】
なお、第１及び第２のカバー１８，１９は、ベローズ管１１，１２と異なって水道水の内圧による力等も加わることがなく、また、水密性を確保する必要もなく、端管鍔１６，１７に単に固定されていれば良く、従って、ベローズ管１１，１２と端管１４，１５との接続と異なって簡易なものとなっている。なお、第１及び第２のカバー１８，１９のベローズ管１１，１２への固定方法は、端管鍔１６，１７を用いた固定方法に限定されるものではなく、種々の固定方法を用いることができる。
【００３３】
また、第１及び第２のカバー１８，１９の先端部は、ベローズが形成されておらず直管部１８ａ，１９ａとなっており、直管部１８ａが外側で直管部１９ａが内側となるように重ね合わされている。直管部１８ａ，１９ａが重なった部分は、ベローズ管１１が軸線方向に伸縮した際の直進性を確保する。
【００３４】
ここで、直管部１８ａ，１９ａの重なる長さＬは、ベローズ本体１１ａ，１２ａの通常使用で保証された伸縮量より長くされる。ベローズ本体１１ａ，１２ａが直線的に伸長したり、また、ベローズ本体１１ａ，１２ａが湾曲し外側が伸長した際に、直管部１８ａ，１９ａの重なりが外れてしまうことを防止するためである。例えば、第１及び第２のベローズ管１１，１２が全体として、伸縮量が±２５ｍｍのときには、直管部１８ａ，１９ａの重なる長さＬは、２５ｍｍより長い例えば３０ｍｍ、４０ｍｍといった長さとなり、伸縮量が±５０ｍｍのときには、直管部１８ａ，１９ａの重なる長さＬは、５０ｍｍより長い例えば６０ｍｍ、７０ｍｍといった長さとなる。
【００３５】
以上のような第１及び第２のカバー１８，１９は、露出管でありベローズ管１１を外部からの衝撃等から保護し、また、重なり合った直管部１８ａ，１９ａが互いに移動してベローズ管１１の軸線方向に伸縮する際の直進性を確保する働きを有する。また、第１及び第２のカバー１８，１９は、ベローズ管で構成されることによって、内部のベローズ管１１，１２が湾曲、すなわち角度変位や軸線方向に対して直角な方向に変位した際にはこれに追従して変位する。
【００３６】
なお、第１及び第２のカバー１８，１９は、ベローズ管１１，１２と同様に製造することができるが、ベローズ管１１，１２程の品質は必要としないことから、ベローズ管１１，１２のときの応力除去のための熱処理や残滓を除去するための酸処理を省略しても良い。
【００３７】
また、第１及び第２のカバー１８，１９には、ベローズ管１１，１２と同様、例えば銅、チタン、アルミニウム合金等のその他の適宜の金属又は合成樹脂によって形成されたものを用いても良い。
【００３８】
更に、接続管１３の一端部１３ａには、図２に示すように、外周部に、ステンレス材等の金属材料を素材としたリング状の接続管鍔２０が嵌合されている。そして、接続管１３の一端部１３ａは、接続管鍔２０の内周部と溶接により一体化されている（溶接箇所を、図２中３０ｉで示す。）。なお、この溶接箇所３０ｉを用いて第１のベローズ管１１の最外凸部１１ｄと溶接しても良い。更に、接続管鍔２０は、第１のベローズ管１１のベローズ本体１１ａの最外凸部１１ｄの端部を保護するために最外凸部１１ｄより高く設けられている。そして、接続管鍔２０は、接続管１３に接続部１１ｂ２が嵌合されたとき、ベローズ本体１１ａの最外凸部１１ｄに外側から突き当てられることによって、ベローズ本体１１ａの端部を保護する。
【００３９】
更に、接続管１３の他端部１３ｂには、図２に示すように、外周部に、ステンレス材等の金属材料を素材としたリング状の接続管鍔２１が嵌合されている。そして、接続管１３の他端部１３ｂは、接続管鍔２１の内周部と溶接により一体化されている（溶接箇所を、図２中３０ｊで示す。）。なお、この溶接箇所３０ｊを用いて第２のベローズ管１２の最外凸部１２ｄと溶接しても良い。更に、接続管鍔２１は、第２のベローズ管１２のベローズ本体１２ａの最外凸部１２ｄの端部を保護するために最外凸部１２ｄより高く設けられている。そして、接続管鍔２１は、接続管１３に接続部１２ｂ２が嵌合されたとき、ベローズ本体１２ａの最外凸部１２ｄに外側から突き当てられることによって、ベローズ本体１２ａの端部を保護する。
【００４０】
更に、図４に示すように、接続管鍔２０，２１の外周部には、ガイド部材２２が取り付けられている。ガイド部材２２は、ステンレス材等の金属材料を素材とし、リング状に形成されている。更に、ガイド部材２２は、一端部２２ａが接続管鍔２０の外周部に溶接により一体化され、他端部２２ｂが接続管鍔２１の外周部に溶接により一体化されている（溶接箇所を、図４中３０ｋで示す。）。なお、ガイド部材２２の接続管鍔２０，２１への固定方法は、溶接以外にも、種々の固定方法を用いることができる。更に、図２に示すように、ガイド部材２２は、第１及び第２のカバー１８，１９の直管部１８ａ，１９ａの先端部が、第１及び第２のカバー１８，１９が変位する前の初期時に加え、第１及び第２のカバー１８，１９が最大限に縮んだ際にも、外周面上に配置されるように設けられていることが好ましい。
【００４１】
以上のようなガイド部材２２は、接続管鍔２０，２１の外周部上に設けられているので、ベローズ管１１，１２の変位に伴って第１及び第２のカバー１８，１９が変位して直管部１８ａ，１９ａの先端部が移動する際に、直管部１８ａ，１９ａの先端部が接続管鍔２０，２１やベローズ管１１，１２に引っ掛かることを防止し、直管部１８ａ，１９ａが円滑に移動するようにガイドする。
【００４２】
なお、ガイド部材２２は、接続管鍔２０，２１の外周部上に設けられることに限定されるものではなく、接続管鍔２０と接続管鍔２１との間に、ガイド部材２２の外周部と接続管鍔２０，２１の外周部とが面一となるように設けるようにしても良い。
【００４３】
また、ガイド部材２２は、図４に示すように、リング状に形成されることに限定されるものではなく、図５〜図１０に示すように、板状に形成されるようにしても良い。
【００４４】
更に、板状に形成されたガイド部材２２は、図５〜図８に示すように、管中心より放射線状に少なくとも１個設けられるようにしても良い。この際、ガイド部材２２は、図５及び図６に示すように、ガイド部材２２の外周部が接続管鍔２０，２１の外周部と面一となるように設けられることが好ましいが、図７及び図８に示すように、ガイド部材２２の外周部が接続管鍔２０，２１の外周部よりも低くなるように設けられる等、非面一となるように設けられるようにしても良い。更に、面一に設ける場合、ガイド部材２２は、図５に示すように、接続管鍔２０，２１と同じ長さに設けられて、接続管１３、接続管鍔２０及び接続管鍔２１の三部材に固定されるようにしても良く、図６に示すように、接続管鍔２０，２１よりも短く設けられて、接続管鍔２０及び接続管鍔２１の二部材のみに固定されるようにしても良い。更に、非面一に設ける場合、ガイド部材２２は、図７に示すように、接続管鍔２０，２１よりも短く設けられて、接続管１３、接続管鍔２０及び接続管鍔２１の三部材に固定されるようにしても良く、図８に示すように、接続管鍔２０，２１の二部材のみに固定されるようにしても良い。
【００４５】
更に、ガイド部材２２は、図９及び図１０に示すように、接続管１３と同心円状に少なくとも１個設けられるようにしても良い。この際、ガイド部材２２は、図９に示すように、接続管鍔２０，２１の外周部上に設けられるようにしても良く、図１０に示すように、ガイド部材２２の外周部が接続管鍔２０，２１の外周部と面一となるように設けられるようにしても良い。
【００４６】
以上のように構成された伸縮管装置１０は、図１に示すように、水道橋、橋梁、高架水槽等の構造体１に使用される露出型の水道管２の継ぎ手として用いられる。すなわち、伸縮管装置１０は、構造体１の支持部材３に接続端近傍が支持された水道管２の端部に、フランジ継ぎ手等によって端管１４，１５が水密に接続される。平常時、例えば、水道管２の管路は、温度変化によって伸縮するが、この伸縮は、伸縮管装置１０のベローズ管１１，１２が第１及び第２のカバー１８，１９の直管部１８ａ，１９ａが重なり合った部分で直進性がガイドされながら軸線方向に伸縮することで吸収されることになる。
【００４７】
更に、地盤沈下や地震が発生したときには、水道管２の変位に伴って、ベローズ管１１，１２が角度変位又はベローズ管１１，１２の軸線に直角な方向に変位することがある。この場合にも、伸縮管装置１０は、第１及び／又は第２のカバー１８，１９が、ベローズを有することから、第１及び／又は第２のベローズ１１，１２の変位に追従して、水道管２の変位を吸収することができる。
【００４８】
更に、伸縮管装置１０は、第１のベローズ管１１と第２のベローズ管１２との間に接続管１３が取り付けられているので、第１のベローズ管１１のベローズの山数と第２のベローズ管１２のベローズの山数とを合計したベローズの山数を、ベローズ管が全山の場合よりも、少なくすることができる。したがって、伸縮管装置１０は、ベローズ管が全山の場合と同様の伸縮性及び可撓性を維持しつつ、ベローズ管が全山の場合よりも、ベローズ管１１，１２が軸線方向に対して直角な方向に座屈してしまうことを防止することができる。
【００４９】
更に、伸縮管装置１０は、ガイド部材２２が接続管鍔２０，２１に設けられているので、ベローズ管１１，１２の変位に伴って第１及び第２のカバー１８，１９が移動する際に、直管部１８ａ，１９ａの先端部が接続管鍔２０，２１やベローズ管１１，１２に引っ掛かるのを防止することができ、直管部１８ａ，１９ａを円滑に移動させることができる。
【００５０】
なお、伸縮管装置１０は、ガイド部材２２を設けずに、ガイド部材２２を省略するようにしても良い。このような場合であっても、伸縮管装置１０は、接続管鍔２０，２１が、ベローズ管１１，１２のベローズ本体１１ａ，１２ａの最外凸部１１ｄ，１２ｄより高く設けられているので、第１及び第２のカバー１８，１９が移動する際に、直管部１８ａ，１９ａが円滑に移動するようにガイドすることができる。
【００５１】
更に、伸縮管装置１０は、第１及び第２のカバー１８，１９の直管部１８ａ，１９ａの先端部が、初期時に加え、第１及び第２のカバー１８，１９が最大限に縮んだ際にも、ガイド部材２２の外周面上に配置されるように設けられることに限定されるものではなく、直管部１８ａ，１９ａの先端部の移動範囲のうちの何れかの位置において、外周面上に配置されるように設けても良い。
【００５２】
更に、伸縮管装置１０は、ベローズ管１１，１２の長さを異ならせて設けて、ガイド部材２２（接続管１３）を伸縮管装置１０の長さ方向の約中央部よりも一端側又は他端側の位置に配置する等、ガイド部材２２（接続管１３）を、伸縮管装置１０の長さ方向の約中央部以外の位置に配置するようにしても良い。
【００５３】
更に、伸縮管装置１０は、接続管１３を２個以上有するようにしても良い。例えば、第１の接続管と第２の接続管とを有する場合、第１のベローズ管と第２のベローズ管との間に第１の接続管が取り付けられ、第２のベローズ管と第３のベローズ管との間に第２の接続管が取り付けられ、最も一端部側の第１のベローズ管の一端部の第１の端管に第１のカバーが固定され、最も他端部側の第３のベローズ管の他端部の第２の端管に第２のカバーが固定されるようにしても良い。なお、その他の方法及び位置で同じ効果を得られるように固定しても良い。
【００５４】
更に、伸縮管装置１０は、接続管１３、第１の端管１４、第２の端管１５、第１の端管鍔１６、第２の端管鍔１７、第１のカバー１８、第２のカバー１９、接続管鍔２０、接続管鍔２１、ガイド部材２２が、ステンレス材で形成されることに限定されるものではなく、例えば、銅、チタン、アルミニウム合金等のその他の適宜の金属、又は合成樹脂によって形成されるようにしても良い。
【００５５】
更に、伸縮管装置１０は、露出型の水道管２の継ぎ手として用いられることに限定されるものではなく、埋設型として使用しても良い。
【００５６】
また、伸縮管装置１０は、中水導管や下水管の配管工事にも適用可能であり、更に、都市ガスや冷却ガス等の気体又は粉体、粒体、ゲル状体等の固体からなる流体が流れる導管の配管工事にも適用可能である。
【符号の説明】
【００５７】
１  構造体、２  水道管、３  支持部材、１０  伸縮管装置、１１  第１のベローズ管、１１ａ  ベローズ本体、１１ｂ１  接続部、１１ｂ２  接続部、１１ｃ  凸部、１１ｄ  最外凸部、１２  第２のベローズ管、１２ａ  ベローズ本体、１２ｂ１  接続部、１２ｂ２  接続部、１２ｄ  最外凸部、１３  接続管、１３ａ  一端部、１３ｂ  他端部、１４  第１の端管、１４ａ  一端部、１４ｂ  他端部、１５  第２の端管、１５ａ  一端部、１５ｂ  他端部、１６  第１の端管鍔、１７  第２の端管鍔、１８  第１のカバー、１８ａ  直管部、１９  第２のカバー、１９ａ  直管部、２０  接続管鍔、２１  接続管鍔、２２  ガイド部材、２２ａ  一端部、２２ｂ  他端部
【図１】
2015172407.tif 000003
【図２】
2015172407.tif 000004
【図３】
2015172407.tif 000005
【図４】
2015172407.tif 000006
【図５】
2015172407.tif 000007
【図６】
2015172407.tif 000008
【図７】
2015172407.tif 000009
【図８】
2015172407.tif 000010
【図９】
2015172407.tif 000011
【図１０】
2015172407.tif 000012